(57)【要約】【課題】長い付け爪の指でプルリング（９）を引くことができて、蓋内壁と注出樋（７）内側への液の付着を少なくするとともに、内容液の注出時に注出樋（７）の外側に垂れた液体が容器（１）内にもどるヒンジキャップを提供する。【解決手段】容器結合筒（２）と蓋（３）とがヒンジ（４）により連設され、容器結合筒（２）の上部を覆う容器結合筒天板（５）は漏斗形状を成し、容器結合筒天板（５）の中央部に注出樋（７）を形成され、容器結合筒天板（５）の一番低い所にプル柱（８）が設けられ、プル柱（８）上部より注出樋（７）の外側に円周状にプルリング（９）が形成され、蓋（３）の中央部から蓋（３）の内側に向けて凹ませて、注出樋（７）の上部の内側にはまる注出樋栓（２７）を形成された容器蓋と容器（１）口部に液止（２８）を設け、注出樋栓（２７）の下部と液止（２８）の間に液流口（３０）を設ける。
2016129326.tif 000002
【特許請求の範囲】
【請求項１】
容器口部に装着する容器蓋において、容器蓋は、容器結合筒とフィンガーフックを有する蓋とがヒンジにより連設されて、容器結合筒の上部を覆う容器結合筒天板に下密閉筒を設け、蓋の内側に、下密閉筒の内側にかみ合う上密閉筒を設けて、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋の下部と容器結合筒天板の接合部を下にして傾斜して漏斗形状を成していて、容器結合筒天板の一番低い所にプル柱を設けて、プル柱上部より注出樋の外側に、円周状のプルリングを形成して、注出樋の内側であって、注出樋の下部と容器結合筒天板の接合部からプル柱下部にかけて破断線を設けて、破断線の内側を切り取り部にして、プルリングとプル柱を引き上げて、破断線の内側の切り取り部を容器結合筒天板より切り取って注出樋の内側に注出口を設けることを特徴とする包装用容器蓋。
【請求項２】
容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板の中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成していて、容器結合筒天板の一番低い所にプル柱を設け、プル柱上部より注出樋の外側に、円周状のプルリングを形成して、注出樋の内側であって、注出樋と容器結合筒天板の接合部からプル柱下部にかけて破断線を設けて、破断線の内側を切り取り部にする、と共に、蓋の内側に、下密閉筒の内側にかみ合う上密閉筒を設けて、蓋の中央部から蓋の内側に向いて凹まし、注出樋の上部の内側にはまる注出樋栓を形成して、容器口部に液止を設けて、プルリングとプル柱を引き上げて、切り取り部を容器結合筒天板より切り取って注出口を設ける、と共に液流口が表れることを特徴とする包装用容器蓋。
【請求項３】
容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板の中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成していて、容器結合筒天板の一番低い所にプル柱を設けて、プル柱上部より注出樋の外側に、円周状のプルリングを形成して、注出樋の内側であって、注出樋と容器結合筒天板の接合部からプル柱下部にかけて破断線を設けて、破断線の内側を切り取り部にする、と共に、蓋の内側に、下密閉筒の内側にかみ合う上密閉筒を設けて、蓋の中央部から蓋の内側に向いて凹まして、注出樋の上部の内側にはまる注出樋栓を形成して、注出樋栓の上であって、注出樋栓の下部と注出樋栓の上部間に液流口弁が貫通する液流口弁管を形成し液流口弁の上部にスプリングと押しボタンを装着して、分離した液体を撹拌する際に押しボタンを押して液流口弁を下げて、液流口弁の下部で液流口を塞いでから容器を振っても容器内の液体は容器結合筒天板上の空間に流入しないことを特徴とする包装用容器蓋。
【請求項４】
容器口部に装着する容器蓋おいて、容器蓋は、容器結合筒とフィンガーフックを有する蓋とがヒンジにより連設されて、容器結合筒の上部を覆う容器結合筒天板の周囲に下密閉筒を設け、容器結合筒天板は、容器結合筒の上部と容器結合筒天板との接合部を上にし、容器結合筒天板の中央部を下にして傾斜している、と共に、容器結合筒天板は、ヒンジと反対方向を上としヒンジ方向を下にして傾斜して漏斗形状を成していて、容器結合筒天板の一番低い所にプル柱を設け、容器結合筒天板であって、プル柱の下部よりヒンジと反対方向に破断線を設けて、破断線の内側を切り取り部にして、プル柱の上部よりヒンジと反対方向に円周状のプルリングを設けて、プルリングと下密閉筒の間であって、容器結合筒天板より上に伸びる注出樋を形成して、注出樋の形状は半円筒形であって、半円筒形の開いた部分にプル柱が立設されていることを特徴とする包装用容器蓋。
【請求項５】
上記蓋の内側に、下密閉筒の内側にかみ合う上密閉筒を設けて、蓋の中央部を蓋の内側に向いて凹まして、注出樋の上部の内側にはまる注出樋栓を形成して、注出樋栓の形状は、注出樋の上部の内側にはまる部分は椀を逆さまにした半球形に成っていて、半球形の部分から注出樋の半円筒形の開いた部分に嵌る液流口弁が貫通する液流口弁管を形成して、容器結合筒天板と、液流口弁管の下部との間に液流口を設けて、液流口弁の上部にスプリングを有する押しボタンを装着して、分離した液体を撹拌する際に押しボタンを押して、液流口弁の下部で液流口は塞がれて、容器内の液体は容器結合筒天板の上面に流入しないことを特徴とする請求項５に記載の包装用容器蓋。
【請求項６】
容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、容器結合筒天板の一番低い所にプル柱を設けて、プル柱の上部にプルリングをプル柱の上部から上方向に向けて形成して、注出樋の内側であって、注出樋の下部と容器結合筒天板の接合部からプル柱下部にかけて破断線を設けて、破断線の内側を切り取り部にする、と共に、蓋の内側に、下密閉筒の内側にかみ合う上密閉筒を設けて、、蓋を閉める際に、蓋の内側でプルリングを押し曲げて蓋の内側の空間にプルリングを収納出来ることを特徴とする包装用容器蓋。
【請求項７】
包装用容器において、容器口部に装着する容器蓋は、容器結合筒と蓋がヒンジにより連設されて、容器結合筒の上部を覆う容器結合筒天板周囲に円周状の下密閉筒を設け、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設ける、と共に、容器結合筒を下に伸ばして、容器口部に形成された雄螺子と容器結合筒内側に形成された雌螺子は螺合できて、容器結合筒の内側雌螺子上にパッキング装着溝を形成して、パッキングを容器結合筒の雌螺子上のパッキング装着溝に脱着容易に装着し、パッキングは容器口部と容器結合筒内側とに挟まれていて、容器結合筒を下に伸ばした容器結合筒内側と、容器口部を覆うパッキング上との空間を計量室として、計量室と注出樋の内側は注出口により通じていて、容器口部と容器結合筒に挟まれたパッキング周囲より中央部を下に下げて計量室を拡張して、パッキング中央部は計量室底と成り、計量室底中央部に液流管を形成して、液流管は、計量室底より容器底まで伸ばすと共に計量室底より上に伸ばして、液流管上部に液流口が形成されたシリコンゴム液流管キャップが脱着容易に装着され、液流管キャップ上部は注出樋下部に接触していて、容器結合筒の側面に計量線が記入されていることを特徴とする包装用容器。
【請求項８】
包装用容器において、容器内部に容器内部を仕切る仕切り板を設け、仕切板より上を計量室とし、仕切り板より下を容器室として、仕切り板中央部に液流管を形成して、液流管は、仕切り板より容器底迄延長する、と共に、仕切り板より上に伸ばして、液流管の上部に液流口を設けて、仕切り板に補充液流穴を設け、仕切り板より上の液流管にスプリングと補充液流穴弁を装着して、補充液流穴弁はスプリングにより上下動自在であって、容器口部に装着する容器蓋は、容器結合筒と蓋がヒンジにより連設されて、容器口部に形成された雄螺子と容器結合筒内側に形成された雌螺子は螺合できて、容器結合筒の上部を覆う容器結合筒天板周囲に円周状の下密閉筒を設け、下密閉筒の内側に返し壁と返し溝を形成し、又は、下密閉筒の内側に返し壁リングを円周状に装着して、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、注出樋の下部は補充液流穴弁を押し下げていて、容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設けて、計量室内の液体を抽出する際に液体容器結合筒天板上に垂れた液体は返し溝、又は返し壁リングに溜まって容器結合筒の側面に垂れないことを特徴とする包装用容器。
【発明の詳細な説明】
【技術分野】
【０００１】
容器口部に装着する容器蓋は、容器結合管と蓋とがヒンジにより連設され、容器結合管の上部の中央部にプルトップが形成された容器蓋に関する。
【背景技術】
【０００２】
従来、プルリングは、注出筒の内側に設けられていて、注出筒の外側に垂れた液だれは注出筒の外側を円周状に流れて溜まり、溜まりきれなく成ると蓋の側部と容器に垂れる。
【先行技術文献】
【特許文献】
【０００３】
【特許文献１】特開２０１４−１０８７９９号
【特許文献２】実願平３−８６９９４号 (実開平５−３５７２３号)のＣＤ−ＲＯＭ
【発明の概要】
【発明が解決しようとする課題】
【０００４】
従来の注出筒内側のプルリングでは長い付け爪の指でプルリングを引くことが出来ない、容器を傾けて液体を注いだ後に容器を立てると注出筒の外側に液体が垂れて溜まる、解決すべき課題がある。
【課題を解決するための手段】
【０００５】
請求項１は容器口部に装着する容器蓋において、容器蓋は、容器結合筒とフィンガーフックを有する蓋とがヒンジにより連設されて、容器結合筒の上部を覆う容器結合筒天板に下密閉筒を設け、蓋の内側に、下密閉筒の内側にかみ合う上密閉筒を設けて、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋の下部と容器結合筒天板の接合部を下にして傾斜して漏斗形状を成していて、容器結合筒天板の一番低い所にプル柱を設けて、プル柱上部より注出樋の外側に、円周状のプルリングを形成して、注出樋の内側であって、注出樋の下部と容器結合筒天板の接合部からプル柱下部にかけて破断線を設けて、破断線の内側を切り取り部にして、プルリングとプル柱を引き上げて、破断線の内側の切り取り部を容器結合筒天板より切り取って注出樋の内側に注出口を設ける包装用容器蓋。【０００６】
請求項２は、容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板の中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成していて、容器結合筒天板の一番低い所にプル柱を設け、プル柱上部より注出樋の外側に、円周状のプルリングを形成して、注出樋の内側であって、注出樋と容器結合筒天板の接合部からプル柱下部にかけて破断線を設けて、破断線の内側を切り取り部にする、と共に、蓋の内側に、下密閉筒の内側にかみ合う上密閉筒を設けて、蓋の中央部から蓋の内側に向いて凹まし、注出樋の上部の内側にはまる注出樋栓を形成して、容器口部に液止を設けて、プルリングとプル柱を引き上げて、切り取り部を容器結合筒天板より切り取って注出口を設ける、と共に液流口が表れる包装用容器蓋。【０００７】
請求項３は、容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板の中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成していて、容器結合筒天板の一番低い所にプル柱を設けて、プル柱上部より注出樋の外側に、円周状のプルリングを形成して、注出樋の内側であって、注出樋と容器結合筒天板の接合部からプル柱下部にかけて破断線を設けて、破断線の内側を切り取り部にする、と共に、蓋の内側に、下密閉筒の内側にかみ合う上密閉筒を設けて、蓋の中央部から蓋の内側に向いて凹まして、注出樋の上部の内側にはまる注出樋栓を形成して、注出樋栓の上であって、注出樋栓の下部と注出樋栓の上部間に液流口弁が貫通する液流口弁管を形成し液流口弁の上部にスプリングと押しボタンを装着して、分離した液体を撹拌する際に押しボタンを押して液流口弁を下げて、液流口弁の下部で液流口を塞いでから容器を振っても容器内の液体は容器結合筒天板上の空間に流入しない包装用容器蓋。【０００８】
請求項４は、容器口部に装着する容器蓋において、容器蓋は、容器結合筒とフィンガーフックを有する蓋とがヒンジにより連設されて、容器結合筒の上部を覆う容器結合筒天板の周囲に下密閉筒を設け、容器結合筒天板は、容器結合筒の上部と容器結合筒天板との接合部を上にし、容器結合筒天板の中央部を下にして傾斜している、と共に、容器結合筒天板は、ヒンジと反対方向を上としヒンジ方向を下にして傾斜して漏斗形状を成していて、容器結合筒天板の一番低い所にプル柱を設け、容器結合筒天板であって、プル柱の下部よりヒンジと反対方向に破断線を設けて、破断線の内側を切り取り部にして、プル柱の上部よりヒンジと反対方向に円周状のプルリングを設けて、プルリングと下密閉筒の間であって、容器結合筒天板より上に伸びる注出樋を形成して、注出樋の形状は半円筒形であって、半円筒形の開いた部分にプル柱が立設されている容器蓋。【０００９】
請求項５は、上記蓋の内側に、下密閉筒の内側にかみ合う上密閉筒を設けて、蓋の中央部を蓋の内側に向いて凹まして、注出樋の上部の内側にはまる注出樋栓を形成して、注出樋栓の形状は、注出樋の上部の内側にはまる部分は椀を逆さまにした半球形に成っていて、半球形の部分から注出樋の半円筒形の開いた部分に嵌る液流口弁が貫通する液流口弁管を形成して、容器結合筒天板と、液流口弁管の下部との間に液流口を設けて、液流口弁の上部にスプリングを有する押しボタンを装着して、分離した液体を撹拌する際に押しボタンを押して、液流口弁の下部で液流口は塞がれて、容器内の液体は容器結合筒天板の上面に流入しない包装用容器蓋。【００１０】
請求項６は、容器口部に装着する容器蓋において、容器蓋は、容器結合筒とフィンガーフックを有する蓋とがヒンジにより連設されて、容器結合筒の上部を覆う容器結合筒天板に下密閉筒を設け、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、容器結合筒天板の一番低い所にプル柱を設けて、プル柱の上部にプルリングをプル柱の上部から上方向に向けて形成して、注出樋の内側であって、注出樋の下部と容器結合筒天板の接合部からプル柱下部にかけて破断線を設けて、破断線の内側を切り取り部にする、と共に、蓋の内側に、下密閉筒の内側にかみ合う上密閉筒を設けて、、蓋を閉める際に、蓋の内側でプルリングを押し曲げて蓋の内側の空間にプルリングを収納出来る包装用容器蓋。【００１１】
請求項７は、容器口部に装着する容器蓋において、容器蓋は、容器結合筒と蓋とがヒンジにより連設されて、容器結合筒の上部を覆う容器結合筒天板周囲に円周状の下密閉筒を設け、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設ける、と共に、容器結合筒を下に伸ばして、容器口部に形成された雄螺子と容器結合筒内側に形成された雌螺子は螺合できて、容器結合筒の内側雌螺子上にパッキング装着溝を形成して、パッキングを容器結合筒の雌螺子上のパッキング装着溝に脱着容易に装着し、パッキングは容器口部と容器結合筒内側とに挟まれていて、容器結合筒を下に伸ばした容器結合筒内側と、容器口部を覆うパッキング上との空間を計量室として、計量室と注出樋の内側は注出口により通じていて、容器口部と容器結合筒に挟まれたパッキング周囲より中央部を下に下げて計量室を拡張して、パッキング中央部は計量室底と成り、計量室底中央部に液流管を形成して、液流管は、計量室底より容器底まで伸ばすと共に上に伸ばして、液流管上部に液流口が形成されたシリコンゴム液流管キャップが脱着容易に装着され、液流管キャップ上部は注出樋下部に接触していて、容器結合筒の側面に計量線が記入されている包装用容器と蓋。【００１２】
請求項８は、包装用容器において、容器内部に容器内部を仕切る仕切り板を設け、仕切板より上を計量室とし、仕切り板より下を容器室として、仕切り板中央部に液流管を形成して、液流管は、仕切り板より容器底迄延長する、と共に、仕切り板より上に伸ばして、液流管の上部に液流口を設けて、仕切り板に補充液流穴を設け、仕切り板より上の液流管にスプリングと補充液流穴弁を装着して、補充液流穴弁はスプリングにより上下動自在であって、容器口部に装着する容器蓋は、容器結合筒と蓋がヒンジにより連設されて、容器口部に形成された雄螺子と容器結合筒内側に形成された雌螺子は螺合できて、容器結合筒の上部を覆う容器結合筒天板周囲に円周状の下密閉筒を設け、下密閉筒の内側に返し壁と返し溝を形成し、又は、下密閉筒の内側に返し壁リングを円周状に装着して、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、注出樋の下部は補充液流穴弁を押し下げていて、容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設けて、計量室内の液体を抽出する際に液体容器結合筒天板上に垂れた液体は返し溝、又は返し壁リングに溜まって容器結合筒の側面に垂れない包装用容器。【００１３】
請求項１に対応する容器蓋は、容器口部に装着する容器蓋において、容器蓋は、容器結合筒と蓋とがヒンジにより連設されて、容器結合筒の上部を覆う容器結合筒天板周囲に下密閉筒を設け、容器結合筒天板中央部に容器内部の液体を注出するための注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋と容器結合筒天板の接合部を下にして傾斜して漏斗形状を成している。【００１４】
容器結合筒天板の一番低い所にプル柱を設け、プル柱上部より注出樋の外側に円周状にプルリングを形成して、注出樋の内側であって、注出樋と容器結合筒天板の接合部に沿ってと、注出樋と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設ける。【００１５】
請求項２に対応する容器蓋は、容器口部に装着する容器蓋において、容器蓋は、容器結合筒と蓋とがヒンジにより連設されて、容器結合筒の上部を覆う容器結合筒天板周囲に下密閉筒を設け、容器結合筒天板の中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成している。【００１６】
容器結合筒天板の一番低い所にプル柱を設け、プル柱上部より注出樋の外側に円周状にプルリングを形成して、注出樋の内側であって、注出樋と容器結合筒天板の接合部からプル柱下部にかけて破断線を設けて、破断線の内側を切り取り部にする。【００１７】
蓋の内側に、下密閉筒の内側にかみ合う上密閉筒を設けて、蓋の中央部から蓋の内側に向いて凹まして、注出樋の上部の内側にはまる注出樋栓を形成して、容器口部に液止設けて、注出樋栓の下部と液止の間に液流口を設ける。【００１８】
請求項３に対応する容器蓋は、容器口部に装着する容器蓋において、容器蓋は、容器結合筒と蓋とがヒンジにより連設されて、容器結合筒の上部を覆う容器結合筒天板周囲に下密閉筒を設け、容器結合筒天板中央部に注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒と容器結合筒天板との接合部を上にし、注出樋と容器結合筒天板の接合部を下にして傾斜して漏斗形状を成している。【００１９】
容器結合筒天板の一番低い所にプル柱を設け、プル柱上部より注出樋の外側に円周状にプルリングを形成して、注出樋の内側であって、注出樋と容器結合筒天板の接合部からプル柱下部にかけて破断線を設けて、破断線の内側を切り取り部にする。【００２０】
蓋の内側に、下密閉筒の内側にかみ合う上密閉筒を設けて、蓋の中央部から蓋の内側に向いて凹まして、注出樋の上部の内側にはまる注出樋栓を形成して、注出樋栓の上であって、注出樋栓の下部と注出樋栓の上部間に液流口弁が貫通する液流口弁管を形成して、液流口弁の上部にスプリングと押しボタンを装着する。【００２１】
請求項４と請求項５に対応する容器蓋は、容器口部に装着する容器蓋において、容器蓋は、容器結合筒と蓋とがヒンジにより連設されて、容器結合筒の上部を覆う容器結合筒天板周囲に下密閉筒を設け、容器結合筒天板は、容器結合筒の上部と容器結合筒天板との接合部を上にし、容器結合筒天板の中央部を下にして傾斜している、と共に、容器結合筒天板は、ヒンジと反対方向を上としヒンジ方向を下にして傾斜して漏斗形状を成している。【００２２】
容器結合筒天板の一番低い所にプル柱を設け、容器結合筒天板であって、プル柱の下部よりヒンジと反対方向に破断を設けて、破断線の内側を切り取り部にして、プル柱の上部よりヒンジと反対方向に円周状のプルリングを設けて、容器結合筒天板であって、プルリングと下密閉筒の間に注出樋を形成して、注出樋の形状は半円筒形であって、半円筒形の開いた部分にプル柱が立設されている。【００２３】
蓋の内側に、下密閉筒の内側にかみ合う上密閉筒を設けて、蓋の中央部を蓋の内側に向いて凹まして、注出樋の上部の内側にはまる注出樋栓を形成して、注出樋栓の形状は、注出樋の上部の内側にはまる部分は椀を逆さまにした半球形に成っていて、半球形の部分から注出樋の半円筒形の開いた部分に嵌る液流口弁が貫通する液流口弁管を形成して、容器結合筒天板と、液流口弁管の下部との間に液流口を設けて、液流口弁の上部にスプリングを有する押しボタンを装着する。【００２４】
請求項６に対応する容器蓋は、容器口部に装着する容器蓋において、容器蓋は、容器結合筒と蓋とがヒンジにより連設されて、容器結合筒の上部を覆う容器結合筒天板周囲に下密閉筒を設け、容器結合筒天板中央部に容器内部の液体を注出するための注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成している。【００２５】
容器結合筒天板の一番低い所にプル柱を設け、プル柱上部にプルリングをプルの上部から上方向に向けて形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、  蓋の内側に下密閉筒の内側にかみ合う上密閉筒を形成して、蓋にフィンガーフックを設ける。【００２６】
請求項７に対応する容器と蓋は、容器口部に装着する容器蓋において、容器蓋は、容器結合筒と蓋とがヒンジにより連設されて、容器結合筒の上部を覆う容器結合筒天板周囲に円周状の下密閉筒を設け、容器結合筒天板中央部に容器内部の液体を注出するための注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成している。【００２７】
容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設ける。【００２８】
容器結合筒を下に伸ばして、容器口部に形成された雄螺子と容器結合筒内側に形成された雌螺子は螺合できて、容器結合筒の内側雌螺子上にパッキング装着溝を形成して、パッキングを容器結合筒の雌螺子上のパッキング装着溝に脱着容易に装着し、パッキングは容器口部と容器結合筒内側とに挟まれていて、容器結合筒を下に伸ばした容器結合筒内側と、容器口部を覆うパッキング上との空間を計量室とする。【００２９】
計量室と注出樋(９３)の内側は注出口により通じていて、容器口部と容器結合筒に挟まれたパッキング周囲より中央部を下に下げて計量室を拡張して、パッキング中央部は計量室底と成り、計量室底中央部に液流管を形成して、液流管は、計量室底より容器底まで伸ばすと共に上に伸ばして、液流管上部に液流口が形成されたシリコンゴム液流管キャップが脱着容易に装着され、液流管キャップ上部は注出樋下部に接触していて、容器結合筒の側面に計量線を記入する。【００３０】
請求項８に対応する容器と蓋は、容器内部に容器内部を仕切る仕切り板を設け、仕切板より上を計量室とし、仕切り板より下を容器室として、仕切り板中央部に液流管を形成して、液流管は、仕切り板より容器底迄延長する、と共に、仕切り板より上に伸ばして、液流管の上部に液流口を設ける。【００３１】
仕切り板に補充液流穴を設け、補充液流穴を開閉する補充液流穴弁を仕切り板より上の液流管に上下動自在に装着して、仕切り板と補充液流穴弁の間の液流管に補充液流穴弁を跳ね上げる為のスプリングを装着する【００３２】
容器口部に装着する容器蓋は、容器結合筒と蓋がヒンジにより連設されて、容器口部に形成された雄螺子と容器結合筒の内側に形成された雌螺子は螺合できて、容器結合筒の上部を覆う容器結合筒天板周囲に円周状の下密閉筒を設け、下密閉筒の内側に返し壁と返し溝を形成し容器結合筒天板中央部に容器内部の液体を注出するための注出樋を形成して、注出樋の内側と、注出樋の周囲の容器結合筒天板はヒンジと反対方向を上としヒンジ方向を下にして傾斜している、と共に、注出樋の周囲の容器結合筒天板は、容器結合筒の上部と容器結合筒天板との接合部を上にし、注出樋の下部と容器結合筒天板の接合部を下にして傾斜して漏斗形状を成していて、注出樋の下部は補充液流穴弁の上部を押し下げている。【００３３】
容器結合筒天板の一番低い所にプル柱を設け、プル柱上部より注出樋の外側に円周状にプルリングを形成して、注出樋の内側であって、注出樋の下部と容器結合筒天板の接合部に沿ってと、注出樋の下部と容器結合筒天板の接合部からプル柱下部にかけて破断線を設けて、破断線の内側を切り取り部にして、蓋の内側に、下密閉筒の内側にかみ合う上密閉筒を形成して、蓋にフィンガーフックを設けて、計量室と注出樋の内側は注出口により通じていて、容器結合筒の側面に計量を記入する。
【発明の効果】
【００３４】
以下図面に基づいて説明する。
図１−図１２符号１−符号１４は、容器(１)口部に装着する容器蓋において、容器蓋は、容器結合筒(２)と蓋(３)とがヒンジ(４)により連設されて、容器結合筒(２)の上部を覆う容器結合筒天板(５)周囲に下密閉筒(６)を設け、容器結合筒天板(５)中央部に容器(１)内部の液体を注出するための注出樋(７)を形成して、注出樋(７)の内側と、注出樋(７)の周囲の容器結合筒天板(５)はヒンジ(４)と反対方向を上としヒンジ(４)方向を下にして傾斜している、と共に、注出樋(７)の周囲の容器結合筒天板(５)は、容器結合筒(２)の上部と容器結合筒天板(５)との接合部を上にし、注出樋(７)と容器結合筒天板(５)の接合部を下にして傾斜して漏斗形状を成していることにおいて、注出樋(７)外に垂れた液体は、注出樋(７)周囲の注出樋(７)と容器結合筒天板(５)の接合部をほぼ直線でスムースに注出口(１４)に向け流れ注出口(１４)を通過して容器(１)に流入する。【００３５】
容器結合筒天板(５)の一番低い所にプル柱(８)を設け、プル柱(８)上部より注出樋(７)の外側に円周状にプルリング(９)を形成して、注出樋(７)の内側であって、注出樋(７)と容器結合筒天板(５)の接合部に沿ってと、注出樋(７)と容器結合筒天板(５)の接合部からプル柱(８)下部にかけて破断線(１０)を設けて、破断線(１０)の内側を切り取り部(１１)にすることにおいて、注出樋(７)を指先より小さく出来る。【００３６】
容器結合筒天板(５)の一番低い所にプル柱(８)を設け、プル柱(８)上部より注出樋(７)の外側に円周状にプルリング(９)を形成して、注出樋(７)の内側であって、注出樋(７)と容器結合筒天板(５)の接合部に沿ってと、注出樋(７)と容器結合筒天板(５)の接合部からプル柱(８)下部にかけて破断線(１０)を設けて、破断線(１０)の内側を切り取り部(１１)にすることにおいて、付け爪の場合でも、蓋(２)に設けられたフィンガーフック(１３)を指で押上げ、蓋(３)を開けて、プル柱(８)と反対方向のプルリング(９)を指の腹で上げてからのプルリング(９)とプル柱(８)を引き上げて、破断線(１０)の内側の切り取り部(１７１)を容器結合筒天板５)より切り取って注出口(１４)を設けることが容易に出来る。【００３７】
容器結合筒(２)の上部を覆う容器結合筒天板(５)周囲に下密閉筒(６)を設け、蓋(３)の内側に、下密閉筒(６)の内側にかみ合う上密閉筒(１２)を形成することにおいて、容器蓋の外に液体が漏れることはない８【００３８】
図１３−図２７符号１５−符号３２は、容器(１５)口部に装着する容器蓋において、容器蓋は、容器結合筒(１６)と蓋(１７)とがヒンジ(１８)により連設されて、容器結合筒(１６)の上部を覆う容器結合筒天板(１９)周囲に下密閉筒(２０)を設け、容器結合筒天板(１９)中央部に注出樋(２１)を形成して、注出樋(２１)の内側と、注出樋(２１)の周囲の容器結合筒天板(１９)はヒンジ(１８)と反方向を上としヒンジ(１８)方向を下にして傾斜している、と共に、注出樋(２１)の周囲の容器結合筒天板(１９)は、容器結合筒(１６)と容器結合筒天板(１９)との接合部を上にし、注出樋(２１)と容器結合筒天板(１６)の接合部を下にして漏斗形状に傾斜していることにおいて、注出樋(２１)外に垂れた液体は、注出樋(２１)周囲の注出樋(２１)と容器結合筒天板(１９)の接合部をほぼ直線でスムースに液流口(３０)に向け流れ液流口(３０)を通過して容器(１)に流入する。【００３９】
容器結合筒天板(１９)の一番低い所にプル柱(２２)を設け、プル柱(２２)上部より注出樋(２１)の外側に円周状にプルリング(２３)を形成して、注出樋(２１)の内側の、注出樋(２１)と容器結合筒天板(１９)の接合部からプル柱(２２)下部にかけて破断線(２４)を設けて、破断線(２４)の内側を切り取り部(２５)にすることにおいて、付け爪の場合でも、プル柱(２２)と反対方向のプルリング(２３)を付け爪の指の腹で上げてからプルリング(２３)とプル柱(２２)を引き上げて、破断線(２４)の内側の切り取り部(２５)を容器結合筒天板(１９)より切り取って注出口(２９)を設ける、と共に液流口(３０)を設けることができて、プルリング(２３)が大きいので小児や高齢者でもプルリング(２３)を容易に引くことができる。【００４０】
容器結合筒天板(１９)の一番低い所にプル柱(２２)を設け、プル柱(２２)上部より注出樋(２１)の外側に円周状にプルリング(２３)を形成して、注出樋(２１)の内側の、注出樋(２１)と容器結合筒天板(１９)の接合部からプル柱(２２)下部にかけて破断線(２４)を設けて、破断線(２４)の内側を切り取り部(２５)にすることにおいて、注出樋(２１)の内側の容器結合筒天板(１９)より切り取り部(２５)を切り取ると注出樋(２１)の内側の容器結合筒天板(１９)のほぼ全てが取れて注出樋(２１)の内側に液体が溜まらない。【００４１】
容器結合筒天板(１９)の一番低い所にプル柱(２２)を設け、プル柱(２２)上部より注出樋(２１)の外側に円周状にプルリング(２３)を形成することにおいて、注出樋(２１)の形状を指先よりも狭くすることができる、と共に、蓋(１７)の中央部から蓋(１７)の内側に向いて凹まして、注出樋(２１)の上部の内側にはまる部分の注出樋栓(２１)の形状を樋がひっくり返った形状にすることにおいて、注出樋(２１)の上部の内側にはまる注出樋栓(２７)の形状も細くできて、注出樋栓(２７)に付着する液体はスムースに流れ落ち容器(１５)に流入する。【００４２】
容器(１５)口部に液止(２８)を設けて、注出樋栓(２７)の下部と液止(２８)の間に液流口(３０)を設けることにおいて、分離した液体を撹拌する際は、蓋(１７)を閉めて、容器(１５)を立てた状態で容器(１５)を振る、又は、容器(１５)を横にして容器(１５)を振る場合はヒンジ(１８)を上にして容器(１５)を振ることで、液流口(３０)から容器結合筒天板(１９)上に上がる液体を最小限にとどめることができる、と共に、容器(１５)使用後に注出樋(２１)の周囲に集まる液体は液流口(３０)を通過して容器内に流入できる。【００４３】
容器(１５)口部にアーム突起 (３２)を設けることにおいて、容器結合筒天板(１６)より切り取り部(２５)を切り取って生まれる液流口(３０)は塞がれる。【００４４】
図２８−図３９符号３３−符号５２は、蓋(３５)の内側に、下密閉筒(３８)の内側にかみ合う上密閉筒(４４)を設けて、蓋(３５)の中央部から蓋(３５)の内側に向いて凹まして、注出樋(３９)の上部の内側にはまる注出樋栓(４５)を形成して、注出樋(３９)の上であって、注出樋栓(４５)の下部と注出樋栓(４５)の上部間に液流口弁(４６)が貫通する液流口弁管(４７)を形成して、液流口弁(４６)の上部にスプリング(４８)と押しボタン(４９)を装着することにおいて、破断線(４２)の内側の切り取り部(４３)を容器結合筒天板(３７)より切り取って現れる注出口(５０)と液流口(５１)の注出口(５０)により、容器(３３)口部の空寮と注出樋(３９)内の空寮は繋がり、注出樋(３９)内の空寮と容器結合筒天板(３７)上の空寮とは注出樋栓(４５)によって遮断されて、液流口(５１)よって容器(３３)口部の空寮と容器結合筒天板(３７)上の空寮は繋がって、押しボタン(４９)を押し、液流口弁(４６)を下げて、液流口弁(４６)の下部で液流口(５１)を塞いで容器(３３)口部の空寮と容器結合筒天板(３７)上の空寮を遮断することが出来て、分離した液体を撹拌する際に、蓋(３５)を閉めて、押しボタン(４９)を押して容器(３３)を振っても容器(３３)内の液体は容器結合筒天板(３７)上の空寮に流入しない。【００４５】
図４０−図５２符号５３−符号７２は、蓋(５５)の内側に、下密閉筒(５８)の内側にかみ合う上密閉筒(６４)を設けて、蓋(５５)の中央部を蓋(５５)の内側に向いて凹まして、注出樋(６３)の上部の内側にはまる注出樋栓(６５)を形成して、注出樋栓(６５)の形状は、注出樋(６３)の上部の内側にはまる部分は椀を逆さまにした半球形に成っていて、半球形の部分から注出樋(６３)の半円筒形の開いた部分に嵌る液流口弁(６６)が貫通する液流口弁管(６７)を形成して、容器結合筒天板(５７)と、液流口弁管(６７)の下部の間に液流口(６８)を設けることにおいて、注出樋(６３)の外側に垂れる液体は、容器結合筒天板(５７)と、注出樋(６３)の下部との接合部に沿って流れて、液流口(６８)を通過して、容器(５３)内に戻る。【００４６】
蓋(５５)の内側に、下密閉筒(５８)の内側にかみ合う上密閉筒(６４)を設けて、蓋(５５)の中央部を蓋(５５)の内側に向いて凹まして、注出樋(６３)の上部の内側にはまる注出樋栓(６５)を形成して、注出樋栓(６５)の形状は、注出樋(６３)の上部の内側にはまる部分は椀を逆さまにした半球形に成っていて、半球形の部分から注出樋(６３)の半円筒形の開いた部分に嵌る液流口弁(６６)が貫通する液流口弁管(６７)を形成して、容器結合筒天板(５７)と、液流口弁管(６７)の下部との間に液流口(６８)を設けて、液流口弁(６６)の上部にスプリング(６９)を有する押しボタン(７０)を装着することにおいて、分離した液体を撹拌する際は、蓋(５５)を閉めて、押しボタン(７０)を押し、液流口弁(６６)を下げて、液流口弁(６６)の下部で液流口(６８)を塞いでから容器(５３)を振る際に、注出樋(６３)上部の空寮は注出樋栓(６５)で塞がれて、液流口(６８)は液流口弁(６６)によって塞がれて、容器(５３)内の液体は容器結合筒天板(５７)の上面に上がることはない。【００４７】
図５３−図６４符号７３−符号８６は、容器結合筒天板(７７)の一番低い所にプル柱(８０)を設け、プル柱(８０)上部にプルリング(８１)をプル柱(８０)上部から上方向に向けて形成することにおいて、蓋(７５)を閉める際に、蓋(７５)の内側でプルリング(８１)を押し曲げて蓋(７５)の内側の空寮にプルリング(８１)を収納出来る。【００４８】
図６５−図７２符号８７−符号１０８は、容器結合筒(８８)を下に伸ばして、容器（８７）口部に形成された雄螺子と容器結合筒(８８)内側に形成された雌螺子は螺合できて、容器結合筒(８８)の内側雌螺子上にパッキング装着溝(１００)を形成して、パッキング(１０１)を容器結合筒(８８)の雌螺子上のパッキング装着溝(１００)に脱着容易に装着し、パッキング(１０１)を容器（８７）口部と容器結合筒(８８)内側とで挟むことにおいて、容器結合筒(８８)を下に伸ばした容器結合筒(８８)内側と、容器（８７）口部を覆うパッキング(１０１)上との空間を計量室(１０２)とすることが出来る。【００４９】
計量室(１０２)と注出樋(９３)の内側は注出口(１０８)により通じていて、容器（８７）口部と容器結合筒(８８)に挟まれたパッキング(１０１)周囲より中央部を下に下げて計量室(１０２)を拡張して、パッキング(１０１)中央部は計量室底(１０３)と成り、計量室底(１０３)中央部に液流管(１０４)を形成して、液流管(１０４)は、計量室底(１０３)より容器（８７）底まで伸ばすと共に計量室底(１０３)より上に伸ばして、液流管(１０４)上部に液流口(１０５)が形成されたシリコンゴム液流管キャップ(１０６)が脱着容易に装着され、液流管キャップ(１０６)上部は注出樋(９３)下部に接触していて、容器結合筒(８８)の側面に計量線(１０７)を記入することにおいて、容器（８７）の側面を押して、容器（８７）内の液体を計量室(１０２)に流入し計量して、容器（８７）を傾けて計量した液体を注出口(１０８)より排出できる。【００５０】
図７３−図８１符号１０９−符号１３４は、仕切り板（１１０）に補充液流穴(１１５)を設け、補充液流穴(１１５)を開閉する補充液流穴弁(１１６)を仕切り板（１１０）より上の液流管（１１３）に上下動自在に装着して、液流管（１１３）の仕切り板（１１０）と補充液流穴弁(１１６)の間に補充液流穴弁(１１６)を跳ね上げる為のスプリング(１１７)を装着することにおいて、容器室（１１２）内への液体の補充は、容器結合筒(１１８)と蓋(１１９)とから成る容器蓋を容器（１１２）口部より外す、と共に、仕切り板（１１０）と補充液流穴弁(１１６)の間に装着されたスプリング(１２７)により補充液液流穴弁(１１６)は上に移動して補充液流穴(１１５)は開いて、計量室(１１１)に流入した補充液は計量室(１１１)より補充液流穴(１１５)を通過して容器室（１１２）内に流入する。【００５１】
下密閉筒(１２２)の内側に返し壁(１３２)と返し溝(１３３)を形成する、又は、下密閉筒(１２２)の内側に返し壁リング(１３４)を装着することにおいて、計量室(１１１)内の液体を抽出する際に容器(１０９)の底の高さより抽出樋(１２３)を低くして計量室(１１１)の液体を抽出樋(１２３)より抽出しても液体容器結合筒天板(１２１)上に垂れた液体は返し溝(１３３)、又は返し壁リング(１３４)に溜まって容器結合筒(１１８)の側面に垂れない。
【図面の簡単な説明】
【００５２】
【図１】容器結合筒(２)と蓋(３)の正面図。
【図２】容器結合筒(２)と蓋(３)の背面図。
【図３】容器結合筒(２)と蓋(３)の右側面図。
【図４】容器結合筒(２)と蓋(３)の左側面図。
【図５】容器結合筒(２)と蓋(３)の平面図。
【図６】容器結合筒(２)と蓋(３)の底面図。
【図７】蓋(３)を閉めた、切断線Ａ−Ａ線とＢ−Ｂ線を示す、蓋(３)の平面図。
【図８】図７のＡ−Ａ線切断断面図。
【図９】図７のＢ−Ｂ線切断断面図。
【図１０】切断線Ｃ−Ｃ線を示す、蓋(３)の平面図。
【図１１】図１０のＣ−Ｃ線切断断面図。
【図１２】図１０のＣ−Ｃ線切断端面図、プルリング(９)とプル柱(８)と切り取り部(１１)を切り欠かいて注出口(１４)が出現している。
【図１３】容器結合筒(１６)と蓋(１７)の正面図。
【図１４】容器結合筒(１６)と蓋(１７)の背面図。
【図１５】容器結合筒(１６)と蓋(１７)の右側面図。
【図１６】容器結合筒(１６)と蓋(１７)の左側面図。
【図１７】切断線Ｄ−Ｄ線を示す、容器結合筒(１６)と蓋(１７)の平面図。
【図１８】容器結合筒(１６)と蓋(１７)の底面図。
【図１９】蓋(１７)を閉めた、図１７のＤ−Ｄ線切断端面図。
【図２０】プルリング(２３)と、プル柱(２２)と、切り取り部(２５)を切り取った、切断線Ｅ−Ｅ線を示す、容器結合筒(１６)と蓋(１７)の平面図。
【図２１】図２０のＥ−Ｅ線切断端面図。
【図２２】蓋(１７)を閉めた、図２０のＥ−Ｅ線切断端面図。
【図２３】液止(２８)を示す、容器(１５)口部の平面図。
【図２４】蓋(１７)を閉めた、切断線Ｆ−Ｆ線を示す、蓋(１７)の平面図。
【図２５】図２４のＦ−Ｆ線切断端面図。
【図２６】容器(１５)口部にアーム突起 (３２)が形成されている場合の、蓋(１７)を閉めた、図２０のＥ−Ｅ線切断端面図。
【図２７】アーム突起 (３２)を示す、容器(１５)口部の平面図。
【図２８】容器結合筒(３４)と蓋(３５)の正面図。
【図２９】容器結合筒(３４)と蓋(３５)の背面図。
【図３０】容器結合筒(３４)と蓋(３５)の右側面図。
【図３１】容器結合筒(３４)と蓋(３５)の左側面図。
【図３２】切断線Ｇ−Ｇ線を示す、容器結合筒(３４)と蓋(３５)の平面図。
【図３３】容器結合筒(３４)と蓋(３５)の底面図。
【図３４】蓋(３５)を閉めた、切断線Ｈ−Ｈ線を示す、蓋(３５)の平面図。
【図３５】図３４のＨ−Ｈ線切断端面図。
【図３６】プルリング(４１)と、プル柱(４０)と、切り取り部(４３)を切り取った、図３４のＨ−Ｈ線切断端面図。
【図３７】図３２のＧ−Ｇ線切断端面図。
【図３８】蓋(３５)を閉めた、切断線Ｊ−Ｊ線を示す、蓋(３５)の平面図。
【図３９】図３８のＪ−Ｊ線切断端面図。
【図４０】容器結合筒(５４)と蓋(５５)の正面図。
【図４１】容器結合筒(５４)と蓋(５５)の背面図。
【図４２】容器結合筒(５４)と蓋(５５)の右側面図。
【図４３】容器結合筒(５４)と蓋(５５)の左側面図。
【図４４】切断線Ｋ−Ｋ線を示す、容器結合筒(５４)と蓋(５５)の平面図。
【図４５】容器結合筒(５４)と蓋(５５)の底面図。
【図４６】蓋(５５)を閉めた、切断線Ｌ−Ｌ線を示す、蓋(５５)の平面図。
【図４７】図４６のＬ−Ｌ線切断端面図。
【図４８】プルリング(６２)と、プル柱(５９)と、切り取り部(６１)を切り取った、図４６のＬ−Ｌ線切断端面図。
【図４９】押しボタン(７０)を押し、液流口弁(６６)を下げて、液流口弁(６６)の下部で液流口(６８)を塞いでいる図４６のＬ−Ｌ線切断端面図。
【図５０】図４４のＫ−Ｋ線切断端面図。
【図５１】蓋(５５)を閉めた、切断線Ｍ−Ｍ線を示す、蓋(５５)の平面図。
【図５２】図５１のＭ−Ｍ線切断端面図。
【図５３】容器結合筒(７４)と蓋(７５)の正面図。
【図５４】容器結合筒(７４)と蓋(７５)の背面図。
【図５５】容器結合筒(７４)と蓋(７５)の右側面図。
【図５６】容器結合筒(７４)と蓋(７５)の左側面図。
【図５７】切断線Ｎ−Ｎ線を示す、容器結合筒(７４)と蓋(７５)の平面図。
【図５８】容器結合筒(７４)と蓋(７５)の底面図。
【図５９】蓋(７５)を閉めた、切断線Ｐ−Ｐ線を示す、蓋(７５)の平面図。
【図６０】図５９のＰ−Ｐ線切断端面図。
【図６１】プルリング(８１)と、プル柱(８０)と、切り取り部(８３)を切り取った、図５９のＰ−Ｐ線切断端面図。
【図６２】図５７のＮ−Ｎ線切断端面図。
【図６３】蓋(７５)を閉めた、切断線Ｑ−Ｑ線を示す、蓋(７５)の平面図。
【図６４】図６３のＱ−Ｑ線切断端面図。
【図６５】容器(８７)と容器結合筒(８８)と蓋(８９)の正面図。
【図６６】切断線R−R線を示す、容器(８７)容器結合筒(８８)と蓋(８９)の平面図。
【図６７】図６６のR−R線切断端面図。
【図６８】切断線Ｓ−S線を示す、容器(８７)容器結合筒(８８)と蓋(８９)の平面図。
【図６９】図６８のＳ−S線切断端面図。
【図７０】切断線U−U線を示す、容器結合筒(８８)と蓋(８９)の平面図。
【図７１】図７０のU−U線切断端面図。
【図７２】プルリング(９５)と、プル柱(９４)と、切り取り部(９７)を切り取った、図７０のU−U線切断端面図。
【図７３】容器(１０９) と返し壁(１３２)と蓋(１１９)の正面図。
【図７４】蓋(１１９)を開けた容器(１０９)と容器結合筒天板(１２１)と蓋(１１９)の平面図。
【図７５】切断線V−V線を示す、容器(１０９)と蓋(１１９)の平面図。
【図７６】図７５のV−V線切断端面図。
【図７７】切断線W−W線を示す、容器(１０９)と蓋(１１９)の平面図。
【図７８】図７７のW−W線切断端面図。
【図７９】プルリング(１２５)と、プル柱(１２４)と、切り取り部(１２７)を切り取った、図７５のV−V線切断端面図。
【図８０】容器(１０９)口部より容器結合筒(１１８)と蓋(１１９)を外した図７７のW−W線切断端面図。
【図８１】下密閉筒(１２２)の内側に返し壁リング(１３４)を装着した場合のプルリング(１２５)と、プル柱(１２４)と、切り取り部(１２７)を切り取った、図７５のV−V線切断端面図。
【発明を実施するための形態】
【００５３】
図１−図１２符号１−符号１４は、容器(１)口部に装着する容器蓋において、容器蓋は、容器結合筒(２)と蓋(３)とがヒンジ(４)により連設されて、容器結合筒(２)の上部を覆う容器結合筒天板(５)周囲に円周状の下密閉筒(６)を設け、容器結合筒天板(５)中央部に容器(１)内部の液体を注出するための注出樋(７)を形成して、注出樋(７)の内側と、注出樋(７)の周囲の容器結合筒天板(５)はヒンジ(４)と反対方向を上としヒンジ(４)方向を下にして傾斜している、と共に、注出樋(７)の周囲の容器結合筒天板(５)は、容器結合筒(２)の上部と容器結合筒天板(５)との接合部を上にし、注出樋(７)の下部と容器結合筒天板(５)の接合部を下にして傾斜して漏斗形状を成している。
【００５４】
容器結合筒天板(５)の一番低い所にプル柱(８)を設け、プル柱(８)上部より注出樋(７)の外側に円周状にプルリング(９)を形成して、注出樋(７)の内側であって、注出樋(７)の下部と容器結合筒天板(５)の接合部に沿ってと、注出樋(７)の下部と容器結合筒天板(５)の接合部からプル柱(８)下部にかけて破断線(１０)を設けて、破断線(１０)の内側を切り取り部(１１)にして、  蓋(３)の内側に、下密閉筒(６)の内側にかみ合う上密閉筒(１２)を形成して、蓋(２)にフィンガーフック(１３)を設ける。
【００５５】
容器(１)口部に装着する容器蓋の使用方法は、蓋(２)に設けられたフィンガーフック(１３)を指で押上げ、蓋(３)を開けて、プル柱(８)と反対方向のプルリング(９)を付け爪の場合は指の腹で上げてからのプルリング(９)とプル柱(８)を引き上げて、破断線(１０)の内側の切り取り部(１１)を容器結合筒天板(５)より切り取って注出口(１４)を設ける。
【００５６】
図１３−図２７符号１５−符号３２は、容器(１５)口部に装着する容器蓋において、容器蓋は、容器結合筒(１６)と蓋(１７)とがヒンジ(１８)により連設されて、容器結合筒(１６)の上部を覆う容器結合筒天板(１９)周囲に下密閉筒(２０)を設け、容器結合筒天板(１９)中央部に注出樋(２１)を形成して、注出樋(２１)の内側と、注出樋(２１)の周囲の容器結合筒天板(１９)はヒンジ(１８)と反対方向を上としヒンジ(１８)方向を下にして傾斜している、と共に、注出樋(２１)の周囲の容器結合筒天板(１９)は、容器結合筒(１６)と容器結合筒天板(１９)との接合部を上にし、注出樋(２１)の下部と容器結合筒天板(１９)の接合部を下にして傾斜して漏斗形状を成している。
【００５７】
容器結合筒天板(１９)の一番低い所にプル柱(２２)を設け、プル柱(２２)上部より注出樋(２１)の外側に円周状にプルリング(２３)を形成して、注出樋(２１)の内側であって、注出樋(２１)と容器結合筒天板(１９)の接合部からプル柱(２２)下部にかけて破断線(２４)を設けて、破断線(２４)の内側を切り取り部(２５)にする。
【００５８】
蓋(１７)の内側に、下密閉筒(２０)の内側にかみ合う上密閉筒(２６)を設けて、蓋(１７)の中央部から蓋(１７)の内側に向いて凹まして、注出樋(２１)の上部の内側にはまる注出樋栓(２７)を形成して、容器(１５)口部に液止(２８)を設けて、注出樋栓(２７)の下部と液止(２８)の間に液流口(３０)を設ける。
【００５９】
容器(１５)口部に装着する容器蓋の使用方法は、蓋(１７)に設けられたフィンガーフック(３１)を指で押上げ、蓋(１７)を開けて、プル柱(２２)と反対方向のプルリング(２３)を付け爪の場合は指の腹で上げてからのプルリング(２３)とプル柱(２２)を引き上げて、破断線(２４)の内側の切り取り部(２５)を容器結合筒天板(１９)より切り取って注出口(２９)とを設ける、と共に液流口(３０)が表れて、分離した液体を撹拌する際は、蓋(１７)を閉めて、容器(１５)を立てた状態で容器(１５)を振る、又は、容器(１５)を横にして容器(１５)を振る場合はヒンジ(１８)を上にして容器(１５)を振る。
【００６０】
容器(１５)口部にアーム突起 (３２)を設ける場合は、容器結合筒天板(１９)より切り取り部(２５)を切り取る前は、プル柱(２２)の下部にアーム突起 (３２)は押されて切り取り部(２５)の厚みの分アーム突起 (３２)はしなって下がり、容器結合筒天板(１９)より切り取り部(２５)を切り取った後は、切り取り部(２５)の厚みの分アーム突起 (３２)は上がって容器結合筒天板(１９)より切り取り部(２５)を切り取って生まれる液流口(３０)はアーム突起 (３２)により塞がれる。
【００６１】
図２８−図３９符号３３−符号５２は、容器(３３)口部に装着する容器蓋において、容器蓋は、容器結合筒(３４)と蓋(３５)とがヒンジ(３６)により連設されて、容器結合筒(３４)の上部を覆う容器結合筒天板(３７)の周囲に下密閉筒(３８)を設け、容器結合筒天板(３７)中央部に注出樋(３９)を形成して、注出樋(３９)の内側と、注出樋(３９)の周囲の容器結合筒天板(３７)はヒンジ(３６)と反対方向を上としヒンジ(３６)方向を下にして傾斜している、と共に、注出樋(３９)の周囲の容器結合筒天板(３７)は、容器結合筒(３４)と容器結合筒天板(３７)との接合部を上にし、注出樋(３９)の下部と容器結合筒天板(３７)の接合部を下にして傾斜して漏斗形状を成している。
【００６２】
容器結合筒天板(３７)の一番低い所にプル柱(４０)を設け、プル柱(４０)上部より注出樋(３９)の外側に円周状にプルリング(４１)を形成して、注出樋(３９)の内側であって、注出樋(３９)と容器結合筒天板(３７)の接合部からプル柱(４０)の下部にかけて破断線(４２)を設けて、破断線(４２)の内側を切り取り部(４３)にする。
【００６３】
蓋(３５)の内側に、下密閉筒(３８)の内側にかみ合う上密閉筒(４４)を設けて、蓋(３５)の中央部から蓋(３５)の内側に向いて凹まして、注出樋(３９)の上部の内側にはまる注出樋栓(４５)を形成して、注出樋栓(４５)の上であって、注出樋栓(４５)の下部と注出樋栓(４５)の上部間に液流口弁(４６)が貫通する液流口弁管(４７)を形成して、液流口弁(４６)の上部にスプリング(４８)と押しボタン(４９)を装着する。
【００６４】
容器(３３)口部に装着する容器蓋の使用方法は、蓋(３５)に設けられたフィンガーフック(５２)を指で押上げ、蓋(３５)を開けて、プル柱(４０)と反対方向のプルリング(４１)を付け爪の場合は指の腹で上げてからのプルリング(４１)とプル柱(４０)を引き上げて、破断線(４２)の内側の切り取り部(４３)を容器結合筒天板(３７)より切り取って注出口(５０)と液流口(５１)を設ける。
【００６５】
分離した液体を撹拌する際は、蓋(３５)を閉めて、押しボタン(４９)を押し、液流口弁(４６)を下げて、液流口弁(４６)の下部で液流口(５１)を塞いでから容器(３３)を振る。
【００６６】
図４０−図５２符号５３−符号７２は、容器(５３)口部に装着する容器蓋において、容器蓋は、容器結合筒(５４)と蓋(５５)とがヒンジ(５６)により連設されて、容器結合筒(５４)の上部を覆う容器結合筒天板(５７)周囲に下密閉筒(５８)を設け、容器結合筒天板(５７)は、容器結合筒(５４)の上部と容器結合筒天板(５７)との接合部を上にし、容器結合筒天板(５７)の中央部を下にして傾斜している、と共に、容器結合筒天板(５７)は、ヒンジ(５６)と反対方向を上としヒンジ(５６)方向を下にして傾斜して漏斗形状を成している。
【００６７】
容器結合筒天板(５７)の一番低い所にプル柱(５９)を設け、容器結合筒天板(５７)であって、プル柱(５９)の下部よりヒンジ(５６)と反対方向に破断線(６０)を設けて、破断線(６０)の内側を切り取り部(６１)にして、プル柱(５９)の上部よりヒンジ(５６)と反対方向に円周状のプルリング(６２)を設けて、プルリング(６２)と下密閉筒(５８)の間であって、容器結合筒天板(５７)より上に伸びる注出樋(６３)を形成して、注出樋(６３)の形状はプル柱(５９)部分が開いたC型の半円筒形であって、半円筒形の開いた部分にプル柱(５９)が立設されている。
【００６８】
蓋(５５)の内側に、下密閉筒(５８)の内側にかみ合う上密閉筒(６４)を設けて、蓋(５５)の中央部を蓋(５５)の内側に向いて凹まして、注出樋(６３)の上部の内側にはまる注出樋栓(６５)を形成して、注出樋栓(６５)の形状は、注出樋(６３)の上部の内側にはまる部分は椀を逆さまにした半球形に成っていて、半球形の部分から注出樋(６３)の半円筒形の開いた部分に嵌る液流口弁(６６)が貫通する液流口弁管(６７)を形成して、容器結合筒天板(５７)と、液流口弁管(６７)の下部との間に液流口(６８)を設けて、液流口弁(６６)の上部にスプリング(６９)を有する押しボタン(７０)を装着する。
【００６９】
容器(５３)口部に装着する容器蓋の使用方法は、蓋(５５)に設けられたフィンガーフック(７２)を指で押上げ、蓋(５５)を開けて、プルリング(６２)を指で上げてからのプルリング(６２)とプル柱(５９)を引き上げて、破断線(６０)の内側の切り取り部(６１)を容器結合筒天板(５７)より切り取って注出口(７１)を設ける。
【００７０】
分離した液体を撹拌する際は、蓋(５５)を閉めて、押しボタン(７０)を押し、液流口弁(６６)を下げて、液流口弁(６６)の下部で液流口(６８)を塞いでから容器(５３)を振る。
【００７１】
図５３−図６４符号７３−符号８６は、容器(７３)口部に装着する容器蓋において、容器蓋は、容器結合筒(７４)と蓋(７５)とがヒンジ(７６)により連設されて、容器結合筒(７４)の上部を覆う容器結合筒天板(７７)周囲に、円周状に下密閉筒(７８)を設け、容器結合筒天板(７７)中央部に容器(７３)内部の液体を注出するための注出樋(７９)を形成して、注出樋(７９)の内側と、注出樋(７９)の周囲の容器結合筒天板(７７)はヒンジ(７６)と反対方向を上としヒンジ(７６)方向を下にして傾斜している、と共に、注出樋(７９)の周囲の容器結合筒天板(７７)は、容器結合筒(７４)の上部と容器結合筒天板(７７)との接合部を上にし、注出樋(７９)の下部と容器結合筒天板(７７)の接合部を下にして傾斜して漏斗形状を成している。
【００７２】
容器結合筒天板(７７)の一番低い所にプル柱(８０)を設け、プル柱(８０)上部にプルリング(８１)をプル柱(８０)上部から上方向に向けて形成して、注出樋(７９)の内側であって、注出樋(７９)の下部と容器結合筒天板(７７)の接合部に沿ってと、注出樋(７９)の下部と容器結合筒天板(７７)の接合部からプル柱(８０)下部にかけて破断線(８２)を設けて、破断線(８２)の内側を切り取り部(８３)にして、  蓋(７５)の内側に、下密閉筒(７８)の内側にかみ合う上密閉筒(８４)を形成して、蓋(７５)にフィンガーフック(８５)を設ける。
【００７３】
容器(７３)口部に装着する容器蓋の使用方法は、蓋(７５)に設けられたフィンガーフック(８５)を指で押上げ、蓋(７５)を開ける、と共に、蓋(７５)により押し曲げられたプルリング(８１)は上方向に復帰して、プルリング(８１)とプル柱(８０)を引き上げて、破断線(８２)の内側の切り取り部(８３)を容器結合筒天板(７７)より切り取って注出口(８６)を設ける。
【００７４】
図６５−図７２符号８７−符号１０８は、容器(８７)口部に装着する容器蓋において、容器蓋は、容器結合筒(８８)と蓋(８９)がヒンジ(９０)により連設されて、容器結合筒(８８)の上部を覆う容器結合筒天板(９１)周囲に円周状の下密閉筒(９２)を設け、容器結合筒天板(９１)中央部に容器(８７)内部の液体を注出するための注出樋(９３)を形成して、注出樋(９３)の内側と、注出樋(９３)の周囲の容器結合筒天板(９１)はヒンジ(９０)と反対方向を上としヒンジ(９０)方向を下にして傾斜している、と共に、注出樋(９３)の周囲の容器結合筒天板(９１)は、容器結合筒(８８)の上部と容器結合筒天板(９１)との接合部を上にし、注出樋(９３)の下部と容器結合筒天板(９１)の接合部を下にして傾斜して漏斗形状を成している。
【００７５】
容器結合筒天板(９１)の一番低い所にプル柱(９４)を設け、プル柱(９４)上部より注出樋(９３)の外側に円周状にプルリング(９５)を形成して、注出樋(９３)の内側であって、注出樋(９３)の下部と容器結合筒天板(９１)の接合部に沿ってと、注出樋(９３)の下部と容器結合筒天板(９１)の接合部からプル柱(９４)下部にかけて破断線(９６)を設けて、破断線(９６)の内側を切り取り部(９７)にして、蓋(８９)の内側に、下密閉筒(９２)の内側にかみ合う上密閉筒(９８)を形成して、蓋(８９)にフィンガーフック(９９)を設ける。
【００７６】
容器結合筒(８８)を下に伸ばして、容器（８７）口部に形成された雄螺子と容器結合筒(８８)内側に形成された雌螺子は螺合できて、容器結合筒(８８)の内側雌螺子上にパッキング装着溝(１００)を形成して、パッキング(１０１)を容器結合筒(８８)の雌螺子上のパッキング装着溝(１００)に脱着容易に装着し、パッキング(１０１)は容器（８７）口部と容器結合筒(８８)内側とに挟まれていて、容器結合筒(８８)を下に伸ばした容器結合筒(８８)内側と、容器（８７）口部を覆うパッキング(１０１)上との空間を計量室(１０２)とする。
【００７７】
計量室(１０２)と注出樋(９３)の内側は注出口(１０８)により通じていて、容器（８７）口部と容器結合筒(８８)に挟まれたパッキング(１０１)周囲より中央部を下に下げて計量室(１０２)を拡張して、パッキング(１０１)中央部は計量室底(１０３)と成り、計量室底(１０３)中央部に液流管(１０４)を形成して、液流管(１０４)は、計量室底(１０３)より容器（８７）底まで伸ばす、と共に、計量室底(１０３)より上に伸ばして、液流管(１０４)上部に液流口(１０５)が形成されたシリコンゴム液流管キャップ(１０６)が脱着容易に装着され、液流管キャップ(１０６)上部は注出樋(９３)下部に接触していて、容器結合筒(８８)の側面に計量線(１０７)を記入する。
【００７８】
容器(８７)と容器(８７)口部に装着する容器蓋の使用方法は、蓋(８９)に設けられたフィンガーフック(９９)を指で押上げ、蓋(８９)を開けて、プル柱(９４)と反対方向のプルリング(９５)を付け爪の場合は指の腹で上げてからのプルリング(９５)とプル柱(９４)を引き上げて、破断線(９６)の内側の切り取り部(９７)を容器結合筒天板(９１)より切り取って注出口(１０８)を設けて、容器（８７）の側面を押すと、共に、容器（８７）内の液体は液流管(１０４)を上がって、液流管キャップ(１０６)の液流口(１０５)より計量室(１０２)に流入し計量して、容器（８７）を傾けて計量した液体を注出口(１０８)より排出する。
【００７９】
図７３−図８１符号１０９−符号１３４は、容器（１０９）内部に容器（１０９）内部を仕切る仕切り板（１１０）を設け、仕切板（１１０）より上を計量室（１１１）とし、仕切り板（１１０）より下を容器室（１１２）として、仕切り板（１１０）中央部に液流管（１１３）を形成して、液流管（１１３）は、仕切り板（１１０）より容器（１０９）底迄延長する、と共に、仕切り板（１１０）より上に伸ばして、液流管（１１３）の上部に液流口(１１４)を設ける。
【００８０】
仕切り板（１１０）に補充液流穴(１１５)を設け、仕切り板（１１０）より上の液流管（１１３）に補充液流穴弁(１１６)を跳ね上げる為のスプリング(１１７)と、補充液流穴(１１５)を開閉する補充液流穴弁(１１６)を装着して、補充液流穴弁(１１６)はスプリングの上で上下動自在に成っている。
【００８１】
容器(１０９)口部に装着する容器蓋は、容器結合筒(１１８)と蓋(１１９)がヒンジ(１２０)により連設されて、容器（１０９）口部に形成された雄螺子と容器結合筒(１１８)内側に形成された雌螺子は螺合できて、容器結合筒(１１８)の上部を覆う容器結合筒天板(１２１)周囲に円周状の下密閉筒(１２２)を設け、容器結合筒天板(１２１)中央部に容器(１０９)内部の液体を注出するための注出樋(１２３)を形成して、注出樋(１２３)の内側と、注出樋(１２３)の周囲の容器結合筒天板(１２１)はヒンジ(１２０)と反対方向を上としヒンジ(１２０)方向を下にして傾斜している、と共に、注出樋(１２３)の周囲の容器結合筒天板(１２１)は、容器結合筒(１１８)の上部と容器結合筒天板(１２１)との接合部を上にし、注出樋(１２３)の下部と容器結合筒天板(１２１)の接合部を下にして傾斜して漏斗形状を成していて、注出樋(１２３)の下部は補充液流穴弁(１１６)の上部を押し下げている。
【００８２】
容器結合筒天板(１２１)の一番低い所にプル柱(１２４)を設け、プル柱(１２４)上部より注出樋(１２３)の外側に円周状にプルリング(１２５)を形成して、注出樋(１２３)の内側であって、注出樋(１２３)の下部と容器結合筒天板(１２１)の接合部に沿ってと、注出樋(１２３)の下部と容器結合筒天板(１２１)の接合部からプル柱(１２４)下部にかけて破断線(１２６)を設けて、破断線(１２６)の内側を切り取り部(１２７)にして、蓋(１１９)の内側に、下密閉筒(１２２)の内側にかみ合う上密閉筒(１２８)を形成して、蓋(１１９)にフィンガーフック(１２９)を設けて、計量室(１１１)と注出樋(１２３)の内側は注出口(１３０)により通じていて、容器結合筒(１１８)の側面に計量線(１３１)を記入する。
【００８３】
下密閉筒(１２２)の内側に返し壁(１３２)と返し溝(１３３)を形成する。
下密閉筒(１２２)の内側に返し壁リング(１３４)を円周状に装着する。
【００８４】
容器(１０９)と容器(１０９)口部に装着する容器蓋の使用方法は、蓋(１１９)に設けられたフィンガーフック(１２９)を指で押上げ、蓋(１１９)を開けて、プル柱(１２４)と反対方向のプルリング(１２５)を付け爪の場合は指の腹で上げてからプルリング(１２５)とプル柱(１２４)を引き上げて、破断線(１２６)の内側の切り取り部(１２７)を容器結合筒天板(１２１)より切り取って注出口(１３０)を設けて、容器（１０９）の側面を押すと、共に、容器（１０９）内の液体は液流管(１１３)を上がって、液流口(１１４)より計量室(１１１)に流入し計量して、容器（１０９）を傾けて計量した液体を注出口(１３０)より排出する。
【００８５】
容器室（１１２）内への液体の補充は、容器結合筒(１１８)と蓋(１１９)とから成る容器蓋を容器（１）口部より外す、と共に、仕切り板（１１０）と補充液流穴弁(１１６)の間に装着されたスプリング(１１７)により補充液流穴弁(１１６)は上に移動して補充液流穴(１１)は開いて、計量室(１１１)に流入した補充液は計量室(１１１)より補充液流穴(１１５)を通過して容器室（１１２）内に流入する。
【産業上の利用可能性】
【００８６】
従来のプルトップ蓋と同様のコストにより製造できて、流動性の悪い液体の使用目的容器や、内容液が分離するために容器を振る動作が必要な容器に有効的に使用出来る。
【符号の説明】
【００８７】
１  容器
２  容器結合筒
３  蓋
４  ヒンジ
５  容器結合筒天板
６  下密閉筒
７  注出樋
８  プル柱
９  プルリング
１０  破断線
１１  切り取り部
１２  上密閉筒
１３  フィンガーフック
１４  注出口
１５  容器
１６  容器結合筒
１７  蓋
１８  ヒンジ
１９  容器結合筒天板
２０  下密閉筒
２１  注出樋
２２  プル柱
２３  プルリング
２４  破断線
２５  切り取り部
２６  上密閉筒
２７  注出樋栓
２８  液止
２９  注出口
３０  液流口
３１  フィンガーフック
３２  突起
３３  容器
３４  容器結合筒
３５  蓋
３６  ヒンジ
３７  容器結合筒天板
３８  下密閉筒
３９  注出樋
４０  プル柱
４１  プルリング
４２  破断線
４３  切り取り部
４４  上密閉筒
４５  注出樋栓
４６  液流口弁
４７  液流口弁管
４８  スプリング
４９  押しボタン
５０  注出口
５１  液流口
５２  フィンガーフック
５３  容器
５４  容器結合筒
５５  蓋
５６  ヒンジ
５７  容器結合筒天板
５８  下密閉筒
５９  プル柱
６０  破断線
６１  切り取り部
６２  プルリング
６３  注出樋
６４  上密閉筒
６５  注出樋栓
６６  液流口弁
６７  液流口弁管
６８  液流口
６９  スプリング
７０  押しボタン
７１  注出口
７２  フィンガーフック
７３  容器
７４  容器結合筒
７５  蓋
７６  ヒンジ
７７  容器結合筒天板
７８  下密閉筒
７９  注出樋
８０  プル柱
８１  プルリング
８２  破断線
８３  切り取り部
８４  上密閉筒
８５  フィンガーフック
８６  注出口
８７  容器
８８  容器結合筒
８９  蓋
９０  ヒンジ
９１  容器結合筒天板
９２  下密閉筒
９３  注出樋
９４  プル柱
９５  プルリング
９６  破断線
９７  切り取り部
９８  上密閉筒
９９  フィンガーフック
１００  パッキング装着溝
１０１  パッキング
１０２  計量室
１０３  計量室底
１０４  液流管
１０５  液流口
１０６  液流管キャップ
１０７  計量線
１０８  注出口
１０９  容器
１１０  仕切り板
１１１  計量室
１１２  容器室
１１３  液流管
１１４  液流口
１１５  補充液流穴
１１６  補充液流穴弁
１１７  スプリング
１１８  容器結合筒
１１９  蓋
１２０  ヒンジ
１２１  容器結合筒天板
１２２  下密閉筒
１２３  注出樋
１２４  プル柱
１２５  プルリング
１２６  破断線
１２７  切り取り部
１２８  上密閉筒
１２９  フィンガーフック
１３０  注出口
１３１  計量線
１３２  返し壁
１３３  返し溝
１３４  返し壁リング
【図１】
2016129326.tif 000003
【図２】
2016129326.tif 000004
【図３】
2016129326.tif 000005
【図４】
2016129326.tif 000006
【図５】
2016129326.tif 000007
【図６】
2016129326.tif 000008
【図７】
2016129326.tif 000009
【図８】
2016129326.tif 000010
【図９】
2016129326.tif 000011
【図１０】
2016129326.tif 000012
【図１１】
2016129326.tif 000013
【図１２】
2016129326.tif 000014
【図１３】
2016129326.tif 000015
【図１４】
2016129326.tif 000016
【図１５】
2016129326.tif 000017
【図１６】
2016129326.tif 000018
【図１７】
2016129326.tif 000019
【図１８】
2016129326.tif 000020
【図１９】
2016129326.tif 000021
【図２０】
2016129326.tif 000022
【図２１】
2016129326.tif 000023
【図２２】
2016129326.tif 000024
【図２３】
2016129326.tif 000025
【図２４】
2016129326.tif 000026
【図２５】
2016129326.tif 000027
【図２６】
2016129326.tif 000028
【図２７】
2016129326.tif 000029
【図２８】
2016129326.tif 000030
【図２９】
2016129326.tif 000031
【図３０】
2016129326.tif 000032
【図３１】
2016129326.tif 000033
【図３２】
2016129326.tif 000034
【図３３】
2016129326.tif 000035
【図３４】
2016129326.tif 000036
【図３５】
2016129326.tif 000037
【図３６】
2016129326.tif 000038
【図３７】
2016129326.tif 000039
【図３８】
2016129326.tif 000040
【図３９】
2016129326.tif 000041
【図４０】
2016129326.tif 000042
【図４１】
2016129326.tif 000043
【図４２】
2016129326.tif 000044
【図４３】
2016129326.tif 000045
【図４４】
2016129326.tif 000046
【図４５】
2016129326.tif 000047
【図４６】
2016129326.tif 000048
【図４７】
2016129326.tif 000049
【図４８】
2016129326.tif 000050
【図４９】
2016129326.tif 000051
【図５０】
2016129326.tif 000052
【図５１】
2016129326.tif 000053
【図５２】
2016129326.tif 000054
【図５３】
2016129326.tif 000055
【図５４】
2016129326.tif 000056
【図５５】
2016129326.tif 000057
【図５６】
2016129326.tif 000058
【図５７】
2016129326.tif 000059
【図５８】
2016129326.tif 000060
【図５９】
2016129326.tif 000061
【図６０】
2016129326.tif 000062
【図６１】
2016129326.tif 000063
【図６２】
2016129326.tif 000064
【図６３】
2016129326.tif 000065
【図６４】
2016129326.tif 000066
【図６５】
2016129326.tif 000067
【図６６】
2016129326.tif 000068
【図６７】
2016129326.tif 000069
【図６８】
2016129326.tif 000070
【図６９】
2016129326.tif 000071
【図７０】
2016129326.tif 000072
【図７１】
2016129326.tif 000073
【図７２】
2016129326.tif 000074
【図７３】
2016129326.tif 000075
【図７４】
2016129326.tif 000076
【図７５】
2016129326.tif 000077
【図７６】
2016129326.tif 000078
【図７７】
2016129326.tif 000079
【図７８】
2016129326.tif 000080
【図７９】
2016129326.tif 000081
【図８０】
2016129326.tif 000082
【図８１】
2016129326.tif 000083
【国際調査報告】
2016129326.tif 000084
2016129326.tif 000085